(57)【特許請求の範囲】
【請求項１】
Ａ）鉄、セリウム、カルシウムの３種を含む金属酸化触媒、
Ｂ）少なくとも１種の有機硝酸エステル、及び
Ｃ）分散剤、
を含み、かつ
添加剤の全重量に対して、前記酸化触媒Ａ）の量が２〜３０％であり、前記有機硝酸エステルＢ）の量が５０〜７０％であり、及び前記分散剤Ｃ）の量が、添加剤の全重量に対する活性物質の量として５〜１５％であることを特徴とするディーゼル油用又は燃料油用添加剤。
【請求項２】
前記金属が、前記酸化触媒Ａ）中、下記式で表される群から選ばれる酸の塩として存在する請求項１に記載の添加剤。
（Ｉ）  Ｒ−ＣＯＯＨ
（式中、ＲはＣ７〜Ｃ１７の直鎖状もしくは分岐状の飽和もしくは不飽和の脂肪族基、又はＣ５〜Ｃ１２の脂環式基である。）
【化１】
0005137283.tif 000016
（式中、Ｒ’は水素又はＣ１〜Ｃ１２の脂肪族基であり、スルホン酸基は１以上であってもよく、いずれの位置にあってもよい。）
【請求項３】
前記酸化触媒が、Ｃ８脂肪酸のＣｅ塩、Ｃ１８脂肪酸のＦｅ塩、及びドデシルベンゼンスルホン酸のＣａ塩からなる３元混合物Ｆｅ−Ｃｅ−Ｃａである請求項１又は２に記載の添加剤。
【請求項４】
前記酸化触媒Ａ）中の金属の量が、前記触媒の全重量に対して、Ｃｅが５〜８％、Ｆｅが６〜８％、Ｃａが２．５〜５％である請求項１〜３のいずれか一項に記載の添加剤。
【請求項５】
前記酸化触媒Ａ）が、触媒の全重量に対して、Ｃｅを５％、Ｆｅを７％及びＣａを２．５％含有する３元混合物からなる請求項１〜３のいずれか一項に記載の添加剤。
【請求項６】
前記酸化触媒Ａ）が、触媒の全重量に対して、Ｃｅを６％、Ｆｅを６％及びＣａを３％含有する３元混合物からなる請求項１〜３のいずれか一項に記載の添加剤。
【請求項７】
前記有機硝酸エステルＢ）が、アミル硝酸、ｉ−アミル硝酸、ｉ−オクチル硝酸及びこれらの２種又は３種から選ばれる請求項１〜６のいずれか一項に記載の添加剤。
【請求項８】
前記有機硝酸エステルＢ）が、硝酸ｉ−オクチルである請求項７に記載の添加剤。
【請求項９】
前記分散剤Ｃ）が、アルキルアミン、アルキルアミド、アルキルアリールアミン及びアルキルアリールアミドから選ばれる請求項１〜８のいずれか一項に記載の添加剤。
【請求項１０】
前記分散剤Ｃ）が、Ｃ１０〜Ｃ２４の脂肪族鎖を有するアルキルアミド及びアルキルアミンから選ばれる請求項９に記載の添加剤。
【請求項１１】
添加剤の全重量に対して、前記酸化触媒Ａ）の量が１５％であり、前記有機硝酸エステルＢ）の量が６５％であり、及び前記分散剤Ｃ）の量が添加剤の全重量に対する活性物質の量として１０％である請求項１〜１０のいずれか一項に記載の添加剤。
【請求項１２】
添加剤の全重量に対して、前記酸化触媒Ａ）の量が１０％であり、前記有機硝酸エステルＢ）の量が６０％であり、及び前記分散剤Ｃ）の量が添加剤の全重量に対する活性物質の量として１５％である請求項１〜１０のいずれか一項に記載の添加剤。
【請求項１３】
請求項１〜１２のいずれか一項に記載の添加剤を含有することを特徴とする、燃料としてディーゼル油又は燃料油を含有する燃料組成物。
【請求項１４】
添加剤の含有量が、燃料の１〜１０ｇ／ｌである請求項１３に記載の燃料組成物。
【請求項１５】
添加剤の含有量が、燃料の１〜５ｇ／ｌである請求項１３に記載の燃料組成物。
【請求項１６】
添加剤の含有量が、燃料の３．５ｇ／ｌである請求項１３に記載の燃料組成物。
【請求項１７】
ディーゼルエンジンのディーゼル燃料に添加するための請求項１〜１２のいずれか一項に記載の添加剤。
【請求項１８】
ボイラーの燃料オイルに添加するための請求項１〜１２のいずれか一項に記載の添加剤。
【請求項１９】
請求項１〜１２のいずれか一項に記載の添加剤を燃料に１〜１０ｇ／ｌ添加することを特徴とする、煤塵排出を著しく低減するためにディーゼル油及び燃料油の燃焼効率を増加させる方法。
【請求項２０】
請求項１〜１２のいずれか一項に記載の添加剤を燃料に３．５ｇ／ｌ添加する請求項１９に記載の方法。
【発明の詳細な説明】
【０００１】
【発明の属する技術分野】
本発明は、ディーゼルエンジン並びに民生用及び工業用のボイラーにそれぞれ使用されるディーゼル油及び燃料油などの燃料のための、排気中の煤塵を低減するのに有用な添加剤に関する。
【０００２】
【従来の技術】
ディーゼル油及び燃料油は、自動車から民生用もしくは工業用の加熱装置といった様々な領域において広く用いられている。
簡略化のために、以下では内燃機関（ディーゼルサイクルエンジン）におけるディーゼル燃料の使用のみに言及するが、排気を伴う燃焼工程を含む、いかなるディーゼル油及び燃料油の使用にも等しく適用可能であることは勿論である。
近年の代替内燃機関の技術的発展は、天然エネルギー源のより合理的な使用を確保せんとする推進力と密接に関連していると同時に、それらを使用することによって生じる環境汚染を制限することとも密接に関連している。このことは、エンジンに本質的な技術的改良を導入し、コマンド（command）によって点火するエンジン、即ちガソリンエンジンと、圧縮によって点火する、即ちディーゼルエンジンという２つの異なる方式のエンジンが生じた。従って、それぞれの技術的革新は同じ要請から生じたが、全く異なる過程を踏んでいる。異なる方法によりこれらの問題に対処したのは、ガソリンエンジンとディーゼルエンジンとの燃焼過程の違いによる。ディーゼルエンジンでは、ガソリンエンジンにおいて起こるのとは全く異なり、チャージ（charge）の過程は、燃料が小滴となって起こり、これらの小滴は、空気過剰の条件下で、圧縮中に空気によって高温に達することによって燃焼する。
【０００３】
燃料滴の径は１／１００ミリメートルで小さいにも関わらず、タンクは非常に高い噴射圧力（１５００ａｔｍ以下）を受けるので、燃料滴が燃焼室内部に分布する過程は均一にはならない。従って、燃料室中にはいくつかの領域があり、空気が大過剰存在している時でさえ、ディーゼル燃料の酸化は、部分的にしか起こらない。
未酸化の燃料粒子の核は、高温で且つ酸素が不足している状況下にあるので、元々の物理的−化学的構造が実質的に変化し、熱分解（パイロリシス（pyrolysis））という複雑な現象に直面する。この現象は、一般的には、主に炭素からなる原料が、初期に粒子化することによって生じると考えられ、ディーゼルエンジンの排気によって拡散される。煤煙（soot）もしくは油煙（lampblack）としてより一般的に知られているものであるが、技術的には「煤塵（particulate）」と定義されている。特に危険なのは、平均径が１０μｍで、約７５％のベンゾピラン、アセナフタレン、アントラセン、フェナントレン、及び上級の類似の多環芳香族炭化水素を含んでいる煤塵ＰＭ１０画分であり、発ガン性があることがわかっている。
【０００４】
服用率が高く、燃焼過程の効率を改善するための努力が相当なされたにもかかわらず、煙の等級分けの原因になる炭素煤塵は、常にディーゼルエンジンの排気中に、多かれ少なかれ存在し、燃料のエネルギー利用が悪いことを確実に証明するのみならず、環境を相当に劣化させ及び健康にダメージを与えている。
炭素煤塵は、ディーゼルエンジンから放出される主たる有害物質の一つであるので、自動車製造業者は、基本的にこの汚染物質の低減に集中して、近年多大な努力をなしてきた。その方法は、以下の様に本質的にまとめることができる：ａ）汚染物質の生成を防止するために、エンジン中で起こる燃焼に直接的に対処する；ｂ）有害物質を無害物質に転換するために、燃焼ガスを処理するデバイスを適用する；ｃ）燃料組成物を改良する。
【０００５】
煤塵ＰＭ１０の生成は、前記した様に、燃焼が不完全であることから生じるので、ａ）に分類される方法は、燃焼効率の改善のための全ての方法を含む。
一方、ｂ）に分類される方法は、ディーゼルエンジンの排気に、燃焼ガスを処理するのにデバイスを用い、それらは燃焼中にエンジン中で生成した炭素煤塵をろ過及び除去するものであり、「煤塵トラップ（particulate traps）」として知られている。一般的に、煤塵ＰＭ１０のトラップは多孔質のセラミック支持体からなり、該セラミック支持体は複数の平行な溝（溝の先端は閉じていても開いていてもよく）を有し、煤塵はろ過によって溝の壁に堆積する。支持体中に堆積した物質によって、出力の低下や燃料消費の上昇を伴う、エンジン排気の過剰な背圧が生じてしまうので、これを防ぐために、トラップの使用においては、常に煤塵の除去サイクル（もしくは清掃段階）が行われる。これらの過程は「再生工程」としても知られていて、再生工程では、適切な技術的改善手段によって、煤塵は燃焼し、二酸化炭素と水とに変換される。
（ｃ）の方法は、水と液体燃料とを含有するエマルジョン、通常、水を１０〜５０％及び燃料を９０〜７０％それぞれ含有するエマルジョンを、燃料として用いるに過ぎない。
【０００６】
排出ガスから煤塵を除去するために、今日まで提案された解決手段は、上記で簡単に述べたものであるが、これらの解決手段は、前記深刻な問題を充分に解決するものではない。なぜならば、（ａ）の方法においては、不均質相における燃料の物理的−化学的性質には、反応性の向上に超えられない限界があり、よって、エンジンの効率にも越えられない限界がある。（ｂ）のデバイスについて検討すると、今日まで、実現には費用がかかり過ぎて、経済上の観点から、大スケールでの実行を検討することはできない。最後に、水と燃料とのエマルジョンの使用（（ｃ））について検討すると、煤塵の低減が不充分であるのみならず、水及び水が燃料中で硫黄分とともに形成する酸の双方によって、エンジン又はバーナーが侵食される危険性が相当増大する。
【０００７】
一方で、これらの汚染の低減のための効果的な解決は、新欧州スモッグ防止基準（new European antismog standards）によって、より急を要するようにさえなってきた。ガソリン及びディーゼルエンジンからの汚染物質の最大排出量は、２つの基準に従って規制される。２つの基準は、１９９７年の１月から有効となった現行の基準Euro２を凌ぐものであり、それぞれ異なるタイムスケールで有効となる。Euro３は２００１年の１月１日から、及びEuro４は２００６年の１月１日から有効になる。
下記表中に、ディーゼル自動車に対する上記基準で許容される、煤塵ＰＭ１０、酸化窒素ＮＯX、一酸化炭素ＣＯ及び未燃焼炭化水素ＨＣの最大排出量を、「ｇ／Ｋｍ」で示す。
【０００８】
【表１】
0005137283.tif 000002
【０００９】
【発明が解決しようとする課題】
表からわかる様に、前記標準はより厳しくなっているので、ディーゼルエンジンの排気からの汚染物質の排出を制限し、新欧州標準を満足する解決手段を見出すことが強く求められている。
【００１０】
【課題を解決するための手段】
出願人は、金属酸化触媒、有機硝酸エステル及び分散剤を適切な割合で含有する混合物からなる添加物を、ディーゼル（燃料油）エンジンに使用することによって、燃焼効率を改善し、それによって煤塵の生成を９０％程度まで軽減できることを見出した。この添加物は、煤塵の排出を軽減するのに特に効果的であるが、単相における燃焼の全てにも好ましく用いることができることもわかった。よって、いわゆる比較的低温領域における清浄度を改善することができ、および多様な排気孔及びシリンダー中の未燃焼炭素及び残留物を軽減できるため、汚れを顕著に減少させることによって、熱交換条件を改善することができる。
さらに、前記添加物は、９０％程度まで煤塵を軽減させる一方で、規制された汚染物質の排出にも影響し、それら全体を８０％程度軽減する。
本発明において、「規制された汚染物質（controlled pollutants）」とは、一酸化炭素（ＣＯ）及び未燃焼炭化水素（ＨＣと酸化窒素（ＮＯｘ）を意味する。
【００１１】
即ち、本発明は、
Ａ）鉄、セリウム及びカルシウム、並びにこれらの２種もしくは３種から選ばれる金属を含む金属酸化触媒、
Ｂ）１種以上の有機硝酸エステル、及び
Ｃ）分散剤、
を含むことを特徴とするディーゼル油用及び燃料油用の添加剤に関する。
触媒（Ａ）は、３元混合物であるのが好ましい。
【００１２】
本発明は、さらに、前記添加剤を含有する燃料組成物を対象とする。
ディーゼルエンジンによる煤塵の排出を低減することについての、本発明の添加剤の特徴及び優位性については、すでに前述した利益と同様、その詳細については、以下の明細書本文中で詳細に説明する。
【００１３】
【発明の実施の形態】
本発明に係わる金属酸化触媒Ａ）中の金属は、鉄、セリウム及びカルシウム、並びにこれらの２種又は３種から選ばれ、酸、好ましくは以下の式で表される群から選ばれる酸で塩化されている。
（Ｉ）  Ｒ−ＣＯＯＨ
式中、ＲはＣ7〜Ｃ17の、直鎖状もしくは分岐状の、飽和もしく不飽和の脂肪族基又はＣ5〜Ｃ12の脂環式の基である。
【００１４】
【化２】
0005137283.tif 000003
【００１５】
式中、Ｒ’はＨ又はＣ1〜Ｃ12の脂肪族基であり、スルホン酸基は１以上であってもよく、いずれの位置にあってもよい。これらのカルボン酸及びベンゼンスルホン酸は、天然物中にさえ混合物として存在する。
【００１６】
金属酸化触媒Ａ）中の成分量を、触媒の全重量に対する重量パーセンテージで示すと、Ｃｅが０〜８％、Ｆｅが０〜８％、Ｃａが０〜５％であり、これらの金属の１種以上が存在しなければならない。好ましい成分量は、個々に又は混合物中に、Ｃｅが６％、Ｆｅが６％、Ｃａが３％である。
本発明に係わる添加剤は、金属酸化触媒Ａ）を、触媒の全重量に対して一般的には２〜３０重量％含有し、好ましくは１５重量％含有する。
【００１７】
本発明における有機硝酸エステルＢ）は、一般的には、硝酸アミル、硝酸ｉ−アミル及び硝酸ｉ−オクチル（即ち、２−エチルヘキシルアルコールの硝酸エステル）、並びにこれらの２種又は３種の混合物から選ばれ、添加剤の全重量に対して５０〜７０重量％、好ましくは６５重量％である。
前記分散剤Ｃ）は、一般的には、アルキルアミン、アルキルアミド、アルキルアリールアミン、及びアルキルアリールアミドから選ばれ、本発明に係わる添加物中に５〜１５重量％、好ましくは１０重量％である。本発明において、好ましい分散剤Ｃ）はＣ10〜Ｃ24の脂肪族鎖を有するアルキルアミン及びアルキルアミドである。
【００１８】
前記分散剤Ｃ）は、一般的には、（Ａ）＋（Ｂ）の活性を増大させる。特に、上記した有機硝酸エステルと金属触媒との混合物に、ポリオレフィンアミン類もしくはアルキルアリールアミン類とオレフィン−アルキルエステル共重合体とを含む分散剤を添加することによって、高い相乗効果が得られる。本発明の実施には市販品も好ましく、例えば、ワックスアンチセトリングエージェント（ＷＡＳＡ）の商品名で商業的に入手できる市販品が挙げられる。以上に基本的な成分を示したが、本発明の添加剤は、例えば、酸化の安定性、腐蝕の抑制、滑り性、燃料の泡立ち性（抗泡立ち性）及び低温作業性（低温フィルター目詰まり点（CFPP-Cold Filter Plugging Point）などの混合物の特性を改善するのに適する剤を少量含有していてもよく、一般的には含有している。
【００１９】
本発明は、ディーゼルエンジンのいかなる燃料に用いて実施してもよい。
本発明の添加剤は、燃料に１〜１０ｇ／ｌ、１〜５ｇ／ｌ、好ましくは３．５ｇ／ｌ含有させることによって、煤塵の低減効果が得られる。
本発明の燃料組成物は、ディーゼルエンジン用の燃料として従来使用されている添加剤を一般的に使用される量で、さらに含んでいてもよい。例えば、滑り性及び安定性の改善、腐蝕抑制剤及びそれらに類似の剤等の公知の剤を含んでいてもよい。
本発明の添加剤は、ディーゼルエンジン用の燃料に混合され、自動車、機関車、船、地上を動く機械用のディーゼルエンジンのみならず、発電用のポンプ室及び装置に用いられるディーゼルエンジンから排出される煤塵を顕著に低減することができる。燃料油を供給したボイラー中で生じる燃料油の燃焼系は、空気／燃料比が低いものの、内燃機関中の酸化を左右する燃焼系と類似しているので、本発明の添加剤はまた、燃料油を供給した加熱システムから排出される煤塵を軽減するのにも用いてもよく、上記と同様の効果がある。
【００２０】
排出ガス規制技術−野外における規制
野外における義務規制を意図している国では、ディーゼル車の規制は、汚染物質の量の抑制のみならず、ディーゼル煙の不透過率も関連している。煙の排出は、自由加速（free acceleration）によって決定し、即ち、ギアを非嵌合状態で、最小回転速度から始めて、最大回転速度、即ち最大走行速度まで加速して決定する。従って、加速の程度はエンジンの大きさに左右される。不透過率の測定は特別の機器、オパシメーター（opacimeter）で行う。該機器では、プローブによって採取した排出ガスを測定室に送り、前記測定室内部の光路をガスの色及び濃度に応じて変化させる。吸光度は不透過率の関数である。光の低下は、吸光係数もしくは係数Ｋ（ｍ-1）、又は単位体積当たりの質量（ｍｇ／ｍ3）としてディスプレイ上に表示される。吸光係数は、１ｍの光路に対して煤煙（煤塵）、白煙、及び青煙によって吸収された光量を決定するための大きさである。これは、用いる測定機器にかかわらず、一定である。質量濃度は、ディーゼル車が１ｍ3の排出ガス中に放出する煤塵量ｍｇで示される。吸光係数は、種々の組織が作成した変換表によって質量濃度に変換する。ＭＩＲＡ（Motor Industry Research Association）の変換表は最も使用されているもののうちの一つである。
【００２１】
【実施例】
以下の実施例において、自動車及びトラックについての定量には、ロバート・ボッシュ・ジーエムビーエイチ（ROBERT BOSCH GmbH）(ストュットガルト（Stuttgart）の装置、具体的には、
１）ディーゼル燃料の分析（不透過率法）用ボッシュテスター（Bosch Tester）  ＲＴＴ１００型
２）ボッシュテスター（Bosch Tester）ＲＴＭ４３０  ＲＴＭＶ２．０型
を用いた。
以下の実施例の試験に用いた燃料オイルの添加剤として、以下の組成からなる混合物を用いた。
ａ）ＣｅがＣ8脂肪酸と、ＦｅがＣ18脂肪酸と、及びＣａがベンズスルホン酸と塩を形成している、Ｃｅを５％、Ｆｅを７％及びＣａを２．５％含む金属酸化触媒を添加剤の全重量に対して１０重量％；
ｂ）硝酸ｉ−オクチルを添加剤の全重量に対して７０重量％；
ｃ）分散剤としてパラ−フロウ  ４１２（Para-Flow 412）（エクソン社（Exxon））（５０％の活性物質）を添加剤の全重量に対して２０重量％使用。
前記添加剤をディーゼル油に対して３．５ｇ／ｌの量だけ添加した。過去、添加剤を未添加の燃料で使用した際に堆積した、エンジン、多様な排気孔及び排気管中の堆積物を除去するため、過去の走行距離１０００ｋｍ毎に１時間の走行が必要であることがわかった。この時間の経過後のみ、前記添加剤は排気に最大の効果をもたらした。
以下の実施例は説明のためのものであり、本発明を限定するものではない。
【００２２】
例１
ボッシュＲＴＭ４３０（Bosch RTM430）装置を用いた不透過率試験
クライスラー・ボイエィジャー・２．５  ＴＤＳＥ（CHRYSLER VOYAGER 2.5 TDSE）（４気筒、排気量２４９９ｃｍ3、出力１１５ＨＰ  ８５ｋW等量、最大回転数４０００ｒｐｍ）を用いて試験した。試験前の走行距離は１０２，０００Ｋｍであった。
【００２３】
【表２】
0005137283.tif 000004
【００２４】
例２
ボッシュＲＴＭ４３０（Bosch RTM430）装置を用いた不透過率試験
日産・アルメラ・ＤＩ・ラグジュリー・５ドアー（NISSAN ALMERA DI LUXURY 5-door）（４気筒、排気量２１８４ｃｍ3、出力１１０ＨＰ  ８１ｋW等量、最大回転数４０００ｒｐｍ）を用いて試験した。試験前の走行距離は３，０００Ｋｍであった。
【００２５】
【表３】
0005137283.tif 000005
【００２６】
例３
ボッシュＲＴＭ４３０（Bosch RTM430）装置を用いた不透過率試験
オペル・フロンテラ・ＤＴＩ  １６  Ｖ２．２・スポーツ  Ｒ．Ｓ（OPEL FRONTERA DTI 16 V2.2 Sport R.S）（４気筒、排気量２１７１ｃｍ3、出力１１５ＨＰ  ８５ｋＷ等量、最大回転数３８００ｒｐｍ）を用いて試験した。試験前の走行距離は１６，０００ｋｍであった。
【００２７】
【表４】
0005137283.tif 000006
【００２８】
例４
ボッシュＲＴＭ４３０（Bosch RTM430）装置を用いた不透過率試験
フィアット・マレア  ＪＴＤ  １０５  ＳＸ（FIAT MAREA JTD 105 SX）（４気筒、排気量１９１０ｃｍ3、出力１０５ＨＰ  ７７ｋＷ等量、最大回転数４０００ｒｐｍ）を用いて試験した。試験前の走行距離は１１，０００Ｋｍであった。
【００２９】
【表５】
0005137283.tif 000007
【００３０】
例５
ボッシュＲＴＭ４３０（Bosch RTM430）装置を用いた不透過率試験
フォルクスワーゲン・ポロ・１．９ＳＤＩ・３ドアー（VOLKSWAGEN POLO 1.9 SDI 3 doors）（４気筒、排気量１８９６、出力６４ＨＰ  ４７ｋＷ等量、最大回転数４２００ｒｐｍ）を用いて試験した。試験前の走行距離は６６，０００Ｋｍであった。
【００３１】
【表６】
0005137283.tif 000008
【００３２】
例６
ボッシュＲＴＭ４３０（Bosch RTM430）装置を用いた不透過率試験
フォルクスワーゲン・ゴルフ・ＴＤＩ・ハイライン・３Ｐ（VOLKSWARGEN GOLF TDI HIGHLINE 3P）（４気筒、排気量１８９６、出力１１５ＨＰ  ８５ｋＷ等量、最大回転数４０００ｒｐｍ）を用いて試験した。試験前の走行距離は９，５００Ｋｍであった。
【００３３】
【表７】
0005137283.tif 000009
【００３４】
例７
ボッシュＲＴＭ４３０（Bosch RTM430）装置を用いた不透過率試験
メルセデス・Ｃ２００・ＣＤＩ・クラシック（MERCEDES C200 CDI CLASSIC）（４気筒、排気量２１５１、出力１０２ＨＰ  ７５ｋＷ等量、最大回転数４２００ｒｐｍ）を用いて試験した。試験前の走行距離は７０，５００Ｋｍであった。
【００３５】
【表８】
0005137283.tif 000010
【００３６】
例８
ボッシュＲＴＴ１００（Bosch RTT 100）装置を用いた不透過率試験
トラック  スカニア  ＤＳ１４１０（SCANIA DS 1410）（８気筒、排気量１４２００ｃｍ3、出力４５３ＨＰ  ３３３ｋＷ等量、最大回転数１９００ｒｐｍ）を用いて試験した。試験前の走行距離は２２４，０００Ｋｍであった。
【００３７】
【表９】
0005137283.tif 000011
【００３８】
例９
ブレダ（Breda）ボイラー  ５００ｔｏｎ／ｈ（蒸気製造）に、以下の特性値を有する燃料油を供給した。
Ｖ                    １００  ｐｐｍ
Ｎｉ                    ５０  ｐｐｍ
Ｎａ                    ２５  ｐｐｍ
灰分                  ３６０  ｐｐｍ
Ｓ                    ２．７  ％
アスファルテン        ７．８  ％
（Asphaltenes）
コンラドソン        １４．４  ％
（Conradson）
N                  ０．４４  ％
７５℃の粘度           １１０  ｃｓｔ
作動条件
安定ランニング状態              ９２％
過剰空気                        １．５÷３．５％（Ｏ2として）
燃料油粉状化（ｆ．ｏ．）        １１０ｃｓｔ
大気温度                        ２５℃
本発明の添加剤として、
ａ）スルホン酸のセリウム塩、タリウム酸の鉄塩、硫酸のカルシウム塩からなり、Ｃｅ６％、Ｆｅ６％、Ｃａ３％である三元酸化触媒を、その全重量が、添加剤の全重量に対して１５重量％；
ｂ）硝酸ｉ−オクチルからなる有機硝酸エステルを、添加剤の全重量に対して６５重量％；
ｃ）エー・ディー・エックス  ３８５６Ｗ（ADX 3856W）（ＡＤＩＢＩＳ）（５０％の活性物質）からなる分散剤を、添加剤の全重量に対して２０重量％；
を、燃料油に対して３．５ｇ／ｌ添加した。
本発明の添加剤を使用することによる、ボイラータンク内の燃焼の改善は、図１及び２から理解することができる。図１及び図２には、時間に対する、生成蒸気１トン当たりの燃料油の消費率及び蒸発量（即ち、燃料１トン当たりの生成蒸気量トン）の傾向がそれぞれ示されている。これら２つの図から、最初の３０〜４０日間の稼動中に、既に、蒸発量は増加する傾向に、消費率は減少する傾向にあることが明確に理解できる。
図３は、本発明の添加剤が添加された燃料油の排気の変化を、無添加の燃料油と比較して示している。この図から、本発明の添加剤を使用すると、無添加の燃料と比較して、酸素が低過剰の場合でさえも、煤塵を６２％低減できること、及びNOｘの低減にも好ましいことが理解できる。
具体的には、この図には、煤塵の排出は５０ｍｇ／Nｍｃ未満まで低減でき、ＮＯｘの排出は４５０ｍｇ／Ｎｍｃまで低減でき、平均煤煙量は４５ｍｇ／Ｎｍｃであることが示されている。
図４は、燃料中に吹き込んだ空気中の過剰酸素量の関数として、ボイラーの排気中の煤塵量の傾向を示す。添加剤中に含まれるのが三元金属触媒Ｃｅ−Ｆｅ−Ｃａである場合に、効果が著しいことがわかる。
【００３９】
例１０
ボッシュＲＴＭ４３０（Bosch RTM 430）装置を用いた不透過率試験
ボルボ  Ｖ７０  ２．５  Ｄ（Volvo V70 2.5 D）（５気筒、排気量２４６０ｃｍ3、最大出力１０３Ｋｗ）を用いて試験を行った。試験前の走行距離は、６１．０００ｋｍであった。
以下の組成の添加剤を調製した。
Ａ）脂肪族系酸の塩であるＣｅを５％、Ｃ18脂肪族酸の塩であるＦｅを７％、及びドデシルベンゼンスルホン酸の塩であるＣａを２．５％含む三元酸化触媒を添加剤の２０％；
Ｂ）硝酸ｉ−オクチルを添加剤の６０％。
Ｃ）分散剤Ｗ．Ａ．Ｓ．Ａ．（Wax Antisetting Agents  抗凝固剤ワックス）を添加剤の２０％。
標準ディーゼル油（Ｓ．Ｄ．）に対する添加剤の量を以下に示す様に増加させて、調製した添加剤を５回のロード試験に用いた。
３      ｇ／ｌ      （試験１０．１）
３．５  ｇ／ｌ      （試験１０．２）
４．０  ｇ／ｌ      （試験１０．３）
５．０  ｇ／ｌ      （試験１０．４）
１０．０  ｇ／ｌ      （試験１０．５）
【００４０】
【表１０】
0005137283.tif 000012
【００４１】
三要素（ａ）、（ｂ）、（ｃ）の存在が、一要素では達成し得ず且つ予測不可能な相乗効果を得るのにいかに重要であるかを示すために、比較試験もいくつか行った。
例１１
アウディ・Ａ４  ２．５  ＴＤＩ  Ｖ６（AUDI A4 2.5 TDI V6）（６気筒、排気量２４９６ｃｍ3、最大出力１１０Ｋｗ、試験前走行距離２５５００ｋｍ）及びボッシュ不透過率測定装置ＲＴＭ４３０（Bosch opacimeter RTM 430）を用いて、標準ディーゼル油（Ｓ．Ｄ．）を単独で、又は種々の組成の添加剤を添加して、試験を行った。
試験１１．１
Ｓ．Ｄ．  ＋  鉄タリウム酸塩（鉄２％）を０．６ｇ／ｌ；
試験１１．２
Ｓ．Ｄ．  ＋  Ｃｅ５％（オクチル酸塩）、Ｆｅ７％（タリウム酸塩）、Ｃａ３％（ドデシルベンゼンスルホン酸塩）からなるＴＲＩ触媒を０．５ｇ／ｌ；
試験１１．３
Ｓ．Ｄ．  ＋  硝酸ｉ−オクチル６０％と、Ｗ．Ａ．Ｓ．Ａ．２０％と、鉄タリウム酸塩２０％とからなる添加剤を３．５ｇ／ｌ；
試験１１．４
Ｓ．Ｄ．  ＋  硝酸ｉ−オクチル  ６０％と、Ｗ．Ａ．Ｓ．Ａ．２０％と、ＴＲＩ触媒２０％からなる添加剤を３．５ｇ／ｌ
【００４２】
【表１１】
0005137283.tif 000013
【００４３】
ドデシルベンゼンスルホン酸カルシウム塩及びオクチル酸セリウム塩も用いて、類似試験を行ったところ、同様の結果を得た。
【００４４】
例１２−比較
以下の組成からなる添加剤を調製した。
ｂ）硝酸ｉ−オクチル        ７５％
ｃ）Ｗ．Ａ．Ｓ．Ａ．        ２５％
この添加剤を異なる量用いて、２回試験を行った。
２．０ｇ／ｌ  ディーゼル油          試験（１２．１）
３．０ｇ／ｌ  ディーゼル油          試験（１２．２）
フィアット・マレア・ＪＴＤ  １０５  ＳＸ（FIAT MAREA JTD 105
SX）（４気筒、排気量１９１０ｃｍ3、最大出力７７Ｋｗ、試験前走行距離１４０００ｋｍ）を用いて試験を行った。
ボッシュＲＴＭ４３０（Bosch RTM 430）
【００４５】
【表１２】
0005137283.tif 000014
【００４６】
例１３−比較
例１２で記載したのと同じ添加剤を、２．０ｇ／ｌ（試験１３．１）及び３．０ｇ／ｌ（試験１３．２）それぞれ用いて、異なる自動車、アウディ  Ａ４  ２．５  ＴＤＩ  Ｖ６（AUDI A4 2.5 TDI V6）（６気筒、排気量２４９６ｃｍ3、最大出力１１０Ｋｗ、試験前走行距離２５５００ｋｍ）で２回試験を行った。
ボッシュＲＴＭ４３０（Bosch RTM 430）
【００４７】
【表１３】
0005137283.tif 000015
【００４８】
例１２及び１３を例１０と比較すると、上記の本発明の実施例で示した三元系では煤塵が８５％まで低減されたのに対して、金属触媒がないと、煤塵の最大減少率が３８％であることが容易に理解できる。
【図面の簡単な説明】
【図１】  時間に対する生成蒸気１トン当たりの燃料油の消費率の傾向を示す。
【図２】  時間に対する蒸発量、即ち、燃料１トン当たりの生成蒸気量トンの傾向を示す。
【図３】  本発明の添加剤が添加された燃料油の排気の変化を、無添加の燃料油と比較して示す。
【図４】  添加剤中に含まれるのが三元金属触媒Ｃｅ−Ｆｅ−Ｃａである場合の効果を示す。
【図１】
0005137283.tif 000017
【図２】
0005137283.tif 000018
【図３】
0005137283.tif 000019
【図４】
0005137283.tif 000020